(57)【特許請求の範囲】
【請求項１】
磁石装着部と一体に、レンジフェンスを挟持し得る支持溝部を備えてなる構成を有し、前記支持溝部を構成する少なくとも一側の立設板部を二以上の立設片に分割形成し、当該立設板部を折曲しやすいように形成したレンジフェンス支持具。
【請求項２】
磁石装着部と一体に、レンジフェンスを挟持し得る支持溝部を備えてなる構成を有し、前記支持溝部を構成する少なくとも一側の立設板部に折曲溝を形成し、当該立設板部を折曲しやすいように形成したレンジフェンス支持具。
【請求項３】
上記支持溝部を構成する立設板部に溝部内側に突出した挟圧凸部を形成した請求項１又は２に記載のレンジフェンス支持具。
【発明の詳細な説明】
【０００１】
【発明の属する技術分野】
本発明は、ガスレンジの後側乃至横側に配設して油や調理屑等の飛散を防止するレンジフェンスをガステーブル上に立設状態に取り付けるためのレンジフェンス支持具に関する。
【０００２】
【従来の技術】
従来、レンジフェンスの取り付けは、図１２（Ａ）（Ｂ）に示すように、レンジフェンスＨの内側面下端部付近に磁石Ｍを固着しておき、当該磁石ＭをガステーブルＡの周側面に磁石して立設状態に固定するか、或いは、図１３（Ａ）（Ｂ）に示すように、レンジフェンス本体Ｅの下端部に折曲可能な固着片部Ｆを形成すると共にこの固着片部Ｆに磁石Ｍを固着しておき、当該固着片部Ｆを水平に折曲して前記磁石Ｍをガステーブル上面Ｂに磁石させて立設状態に取り付けるかするのが一般的であった。
【０００３】
【発明が解決しようとする課題】
しかし、ガステーブル周側面に磁着する場合、特にシステムキッチンに多く見られたが、磁石を磁着させるのに適した周側面がないことがあったり、周側面と壁面とが近接していて着脱が容易でないでない場合などがあった。また、水平に折り曲げた固着片部を磁着する場合には、ガステーブル上面に固着片部を固着するだけの余裕がなかったり、固着片部が料理の邪魔になったり、キッチンの外観をかえって悪くするなどの課題があった。
【０００４】
また、リサイクル可能な分別廃棄の点からするとレンジフェンス本体から磁石をとり外して廃棄するのが好ましいが、従来の磁石付レンジフェンスの場合には、通常磁石がレンジフェンス本体に接着されていたために磁石を本体から取り外しにくく、分別廃棄がしずらいという課題もあった。
【０００５】
そこで本発明は、レンジフェンス本体とは別個に提供できるレンジフェンス支持具であって、必要な取付面積が小さく、ほとんどの種類のシステムキッチンやガステーブルに取り付けることができ、しかも必要に応じて簡単に着脱させることができるレンジフェンス支持具を提供せんとするものである。
【０００６】
【課題を解決するための手段】
上記課題を解決するため、本発明は、磁石装着部と一体にレンジフェンスを挟持し得る支持溝部を備えてなるようにレンジフェンス支持具を構成した。
かかるレンジフェンス支持具によれば、レンジフェンス下端部を支持溝部に挿入し、当該挿入部を支持溝部で挟持すれば、レンジフェンスにレンジフェンス支持具を簡単に装着することができる。そしてこの状態で支持具の磁石装着部をガステーブル上面に磁着させればレンジフェンスを簡単に立設状態に取り付けることができる。また、ガステーブルに対してレンジフェンス支持具を磁着させてあるだけであるから必要に応じて簡単に着脱させることもできる。しかも、支持溝部内にレンジフェンスを立設する構造であるから、必要な取付面積は磁石装着部乃至支持溝部分の面積さえあればよいから、ほとんどの種類のシステムキッチンやガステーブルに好適に取り付けることができる。
【０００７】
上記構成のレンジフェンスにおいて、上記支持溝部を構成する少なくとも一側の立設板部を二以上の立設片に分割形成し、当該立設板部を折曲しやすいように形成することができる。
また、支持溝部を構成する少なくとも一側の立設板部に折曲溝を形成し、当該立設板部を折曲しやすいように形成することもできる。
さらにまた、上記支持溝部を構成する立設板部に溝部内側に突出した挟圧凸部を形成することにより、一層確実にレンジフェンス支持具を挟持し立設させることができる。
【０００８】
なお、このレンジフェンス支持具は、これ自体単体で提供することができることは勿論であるが、レンジフェンスの下端部に装着した状態で支持具付レンジフェンスとして提供することもできる。
【０００９】
【発明の実施の形態】
以下、本発明を実施例によって具体的に説明する。
【００１０】
図１〜図２に示すレンジフェンス支持具１は、磁石被着部２の上側にこれと一体に支持溝部３を形成してなる支持具本体４と、前記磁石被着部２に接着した磁石Ｍとからなっている。
【００１１】
磁石被着部２は、偏平直方体状の磁石Ｍを被覆し得る上面部２ａの一方向両側縁から垂下して側面部２ｂ、２ｂを形成し、図２に示すように、上面部２ａ及び側面部２ｂ、２ｂからなる断面下向きコ字溝状に形成してあり、磁石Ｍを上面部２ａの下面に接着して磁石装着部を構成している。
【００１２】
支持溝部３は、上記上面部２ａにおける上記垂下面２ｂ、２ｂを形成しない両側縁の中央部を適宜幅をもって外側に延設して張出底面部５、５とし、この張出底面部５、５の両側縁から立設板部６、６を立ち上げて、上面部２ａ及び張出底面部５、５を溝底とし、かつ立設板部６、６を溝側壁として形成してある。
【００１３】
これら立設板部６、６は、レンジフェンスＨの下端部を挿入可能な間隔をおいて並設すると共に、各立設板部６を基端部から溝内側に容易に傾倒させることができるように形成してある。すなわち、立設板部６、６は、上記張出底面部５、５の両側縁から適宜幅の立脚板部６ａ，６ａ，６ａ，６ａを立ち上げ、上面部２ａを介して隣接する立脚板部６ａ，６ａ間の上部どうしを適宜幅を有する挟圧板部６ｂで連結してブリッジ状、すなわち矩形状の中央下部を切除した如き形状に形成し、更に前記挟圧板部６ｂには、その中央部を溝内側に膨出させて矩形状の挟圧凸部７を形成してある。
【００１４】
上記構成のレンジフェンス支持具１は、例えば次のようにして製造することができる。例えば図３に示すように、適宜厚みを有する一枚の矩形状金属板体８に挟圧凸部７、７を形成するとともに、磁石装着部形成部分２Ａ，２Ａの外郭縁部に沿って言い換えれば立設板部形成部分６Ａ、６Ａの内郭縁部に沿って、かつ突出部形成部分５Ａ、５Ａを残して適宜幅の切り込み９を形成し、この切り込み９内側の磁石装着部形成部分２Ａ，２Ａを折り込んで磁石被着部２を形成する一方、切り込み９の外側の立設板部形成部分６Ａ、６Ａを、突出部形成部分５Ａ、５Ａの両側縁から立ち上げるように折曲して立設板部６、６を並設させて支持具本体４を形成し、この支持具本体４の磁石被着部２に磁石Ｍを接着して製造することができる。
このように一枚の金属板体から、しかも接着や溶接などの固着手段を介さないで支持具本体４を製造することができるから、簡単な製造装置で効率良く、しかも安価に製造することができる。
【００１５】
上記構成のレンジフェンス支持具１によれば、図４に示すように、支持溝部３内にレンジフェンスＨの下端部を差し込み、次いで立設板部６、６を両側から指等で挟んで挟圧凸部７、７間でレンジフェンスＨを挟圧させるだけでレンジフェンスＨを挟持することができる。このとき、立設板部６、６をブリッジ状に形成することにより、すなわち矩形板状の立設板部に比べて起立部分の幅を狭く形成して傾斜折曲させる際の折曲板幅を狭くすることにより、容易に折曲できるようになっている。また、挟圧板部６ｂに挟圧凸部７を形成することにより、レンジフェンスＨをより確実に挟持できるようになっている。
【００１６】
このようにしてレンジフェンスＨの下端縁部に適宜間隔をおいてレンジフェンス支持具１、１・・を装着しておき、磁石ＭをガステーブルＡのレンジ上面Ｂに磁着させればレンジフェンスＨを立設状態に取り付けることができる。このときレンジフェンス支持具１はレンジ上面Ｂに磁着してあるだけであるから、必要に応じて簡単に取り外すこともできる。
更に、レンジフェンスＨを廃棄する場合には、レンジフェンス支持具１の立設板部６、６を若干開拡させてレンジフェンスＨを引き抜き、レンジフェンスＨだけを廃棄することができる。
【００１７】
なお、上記レンジフェンス支持具１では、立設板部６、６をブリッジ状に形成することによって立設板部６、６を折曲しやすいように形成してあるが、後述するように、立設板部６、６の少なくとも一側の立設板部６を一又は二以上の立設片に分割形成して折曲しやすいように形成することも、少なくとも一側の立設板部６に折曲溝を形成して折曲しやすいように形成することも、或いは立設板部６の板厚を薄くすることによって折曲しやすいように形成することも可能である。
また、上記レンジフェンス支持具１の挟圧凸部７、７は形成することが好ましいが、形成しなくてもレンジフェンスＨを立設状態に取り付けることができる。
【００１８】
次に、図６及び図７に示すレンジフェンス支持具１１は、磁石被着部１２の横側にこれと一体に支持溝部１３を形成してなる支持具本体１４と、前記磁石被着部１２に接着した磁石Ｍとからなっている。
【００１９】
磁石被着部１２は、偏平直方体状の磁石Ｍの上面を被覆する大きさの上面部１２ａの一方向両側縁から垂下して側面部１２ｂ、１２ｃを形成し、上面部１２ａ及び側面部１２ｂ、１２ｃからなる断面下向きコ字溝状に形成してある。
支持溝部１３は、前記側面部１２ｃの下端縁部を水平折曲して溝底面部１５を形成すると共にこの溝底面部１５の一側縁部を立ち上げて立設板部１６を形成する一方、上記側面部１２ｃの下端縁部から上面部１２ａの中央部にかけて矩形枠状に切り込みを入れてこの切り込み内部を側面部１２ｃと面一となるように立ち上げるようにして立設板部１７を立設し、立設板部１７、溝底面部１５及び立設板部１６からなる断面上向きコ字溝状に形成してある。これら立設板部１６、１７は、レンジフェンスＨの下端部を挿入可能な間隔をおいて並設してある。
【００２０】
かかる構成の支持具本体１４も、一枚の金属板体から、しかも接着や溶接などの固着手段を介さないで製造することができる。すなわち、図８に示すように、適宜厚みを有する一枚の矩形状金属板体１８の中央部に立設板部１７の形成部分１７Ａの外郭縁部に沿って適宜幅の切り込み１９（図の点斜線部）を形成し、この切り込み１９の外側を折り込んで磁石被着部１２、溝底面部１５及び立設板部１６を形成する一方、切り込み１９の内側を起立させるように折曲して立設板部１７を形成して支持具本体１４を形成し、この支持具本体１４の磁石被着部１２に磁石Ｍを接着して製造することができる。
【００２１】
上記構成のレンジフェンス支持具１１によっても、上記レンジフェンス支持具１と同様、支持溝部１３内にレンジフェンスＨの下端部を差し込み、立設板部１６、１７を両側から指等で挟んで、図７に示すように、立設板部１７を傾倒させることによりレンジフェンスＨを立設板部１６、１７間で挟持させることができる。そして、このようにレンジフェンスＨにレンジフェンス支持具１１を装着しておき、レンジフェンス支持具１１の磁石Ｍをレンジ上面Ｂに磁着させればレンジフェンスＨを簡単に立設状態に取り付けることができる。
【００２２】
図９及び図１０は、上記レンジフェンス支持具１１の好適な変形例を示したものである。レンジフェンス支持具１１における立設板部１６の全幅に渡ってその溝内側面の垂直方向中間部位に水平にＶ字溝状の折曲溝２１を形成するとともに、当該立設板部１６の上縁部から折曲溝２１にかけて切り込み２２、２２を適宜間隔をおいて形成し、当該立設板部１６の折曲溝２１上側部分を３つの立設片２３Ａ，２３Ｂ，２３Ｃに分割形成してある。
折曲溝２１を形成したことにより、図１１に示すように、この折曲溝２１を折り目としてより折曲（傾倒）しやすくなり、しかも立設板部１６を立設片２３Ａ，２３Ｂ，２３Ｃに分割形成したことにより、各立設片の折曲板幅が狭くなるから、各立設片２３Ａ，２３Ｂ，２３Ｃをさらに容易に折曲（傾倒）させることができる。
【００２３】
なお、上記例では、立設板部１６の全幅に渡って折曲溝２１を形成してあるが、中央の立設片２３Ｂのみに形成するようにしてもよいし、また、折曲溝２１の形成、或いは立設板部１６の分割形成のいずれかのみを適用することもできる。更に、立設板部１６、１７に上記レンジフェンス支持具１における挟圧凸部７を形成するようにしてもよい。
【図面の簡単な説明】
【図１】本発明の一実施例としてのレンジフェンス支持具の一例を示した斜視図である。
【図２】図１のレンジフェンス支持具のＩ−Ｉ線縦断面図である。
【図３】図１のレンジフェンス支持具の製造に使用し得る板体を示した平面図である。
【図４】図１のレンジフェンス支持具の支持状態を示した断面図である。
【図５】同じく、図１のレンジフェンス支持具の支持状態を示した斜視図である。
【図６】図１とは異なる実施例としてのレンジフェンス支持具の一例を示した斜視図である。
【図７】図６のレンジフェンス支持具のII−II線縦断面図である。
【図８】図６のレンジフェンス支持具の製造に使用し得る板体を示した平面図である。
【図９】図６のレンジフェンス支持具の変形例を示した斜視図である。
【図１０】図９のレンジフェンス支持具の側面図である。
【図１１】図９のレンジフェンス支持具の動作を示した斜視図である。
【図１２】従来のレンジフェンスの取付け状態を示した図であり、（Ａ）は磁石付レンジフェンスの正面図、（Ｂ）はその取り付け状態を示した断面図である。
【図１３】同じく、従来のレンジフェンスの取付け状態を示した図であり、（Ａ）は磁石付レンジフェンスの取り付け状態を示した斜視図であり、（Ｂ）はその断面図である。
【符号の説明】
Ａ          ガステーブル
Ｅ          レンジフェンス本体
Ｆ          固着片部
Ｂ          ガステーブル上面
Ｈ          レンジフェンス
Ｍ          磁石
１          レンジフェンス支持具
２          磁石被着部
３          支持溝部
４          支持具本体
５          張出底面部
６          立設板部
７          挟圧凸部
８          金属板体
９          切り込み
１１        レンジフェンス支持具
１２        磁石被着部
１３        支持溝部
１４        支持具本体
１５        溝底面部
１６        立設板部
１７        立設板部
１８        金属板体
１９        切り込み
２１        折曲溝
２３        立設片
【図１】
0003710638.tif 000002
【図２】
0003710638.tif 000003
【図３】
0003710638.tif 000004
【図４】
0003710638.tif 000005
【図５】
0003710638.tif 000006
【図６】
0003710638.tif 000007
【図７】
0003710638.tif 000008
【図８】
0003710638.tif 000009
【図９】
0003710638.tif 000010
【図１０】
0003710638.tif 000011
【図１１】
0003710638.tif 000012
【図１２】
0003710638.tif 000013
【図１３】
0003710638.tif 000014